(57)【特許請求の範囲】
【請求項１】
カードに対して所定の処理を行うカード処理部と、上記カードが複数積み重ねられて収納されたカードスタック部と、上記カード処理部と上記カードスタック部との間で上記カードを搬送するカード搬送部とを備え、
上記カードスタック部は、モジュールとして上記カード搬送部から分離可能に構成されると共に、上記カード搬送部から分離した状態において、独立してカードを排出可能に構成されていることを特徴とするカード処理装置。
【請求項２】
カードに対して所定の処理を行うカード処理部と、上記カードが複数積み重ねられて収納されたカードスタック部と、上記カード処理部と上記カードスタック部との間で上記カードを搬送するカード搬送部と、少なくとも上記カードスタック部と上記カード搬送部とが載置される本体ベースとを備え、
上記カードスタック部は、モジュールとして上記本体ベースに載置されると共に、上記カード搬送部から分離した状態において、独立してカードを排出可能に構成されていることを特徴とするカード処理装置。
【請求項３】
前記カードスタック部は、前記カード搬送部に向かって前記カードを排出するカード排出機構を備えることを特徴とする請求項１または２記載のカード処理装置。
【請求項４】
カードに対して所定の処理を行うカード処理部と、上記カードが複数積み重ねられて収納されたカードスタック部と、上記カード処理部と上記カードスタック部との間で上記カードを搬送するカード搬送部とを備え、
上記カードスタック部は、上記カード搬送部に向かって上記カードを排出するカード排出機構を備え、
当該カード排出機構には、上記カード搬送部に向かって上記カードを排出するための駆動源となる駆動モータが備えられていることを特徴とするカード処理装置。
【請求項５】
前記カードスタック部での前記カードの排出方向と、前記カード搬送部での前記カードの搬送方向とが直交することを特徴とする請求項１から４いずれかに記載のカード処理装置。
【請求項６】
前記カードスタック部と前記カード処理部とは、前記カード搬送部での前記カードの搬送方向と直交する方向における前記カード搬送部の一方側と他方側とにそれぞれ配置されていることを特徴とする請求項１から５いずれかに記載のカード処理装置。
【請求項７】
前記カード搬送部は、前記カード排出機構によって前記カードスタック部から排出される前記カードを引き込む引込機構を備えることを特徴とする請求項３または４記載のカード処理装置。
【請求項８】
前記カード搬送部は、前記引込機構の少なくとも一部が搭載されたキャリッジを備え、
前記カードスタック部は、該キャリッジの位置検出を行うための検出機構を備えることを特徴とする請求項７記載のカード処理装置。
【発明の詳細な説明】
【技術分野】
【０００１】
本発明は、カードに対して所定の処理を行うカード処理装置に関する。
【背景技術】
【０００２】
従来から、磁気ストライプを有する磁気カードやＩＣ接点を有するＩＣカード等のカードに対して所定の処理を行うカード処理装置が、金融端末装置等に用いられている。この種のカード処理装置としては、カードに対して磁気情報等の記録、再生を行うカードリーダ部と、カードが複数積み重ねされて収納された複数のカードスタック部と、これらのカードスタック部からカードを取り出して搬送するカード取出移動部とを備え、複数種類のカードの中から、ユーザが選択したカードを発行するカード発行装置が知られている（たとえば、特許文献１参照）。
【０００３】
特許文献１に記載のカード発行装置では、複数のカードスタック部とカード取出移動部とが、一体でサブフレームに組み込まれている。また、サブフレームに組み込まれた複数のカードスタック部およびカード取出移動部と、カードリーダ部とが、カード発行装置の本体ベースの上に載置されている。
【０００４】
また、このカード発行装置では、一列で隣接するように配置された複数のカードスタック部の中から選択されたカードスタック部の位置に、キャリッジが移動して、そのカードスタック部からカードを取り出すようになっている。また、カードスタック部から取り出されたカードは、キャリッジによってカードリーダ部まで搬送され、カードリーダ部から外部へ発行されるようになっている。
【０００５】
【特許文献１】特開２０００−８２１１６号公報
【発明の開示】
【発明が解決しようとする課題】
【０００６】
近年、カード発行装置が用いられる金融端末装置等の製品は多種多様化しつつある。そのため、多種多様化する金融端末装置等の仕様にあったカード発行装置や、多種多様化する金融端末装置等に合った外形を有するカード発行装置が市場で求められている。
【０００７】
しかしながら、特許文献１に記載されたカード発行装置では、複数のカードスタック部とカード取出移動部とが一体でサブフレームに組み込まれている。そのため、カードスタック部の数の増減や、カード取出移動部に対するカードスタック部の配置の変更をする場合、サブフレームの構造自体を見直す必要がある。その結果、特許文献１に記載されたカード発行装置では、レイアウトの変更をしようとした場合、装置全体の設計をやり直す必要があり、設計時間がかかるとともに設計コストが嵩むといった問題が生じる。
【０００８】
そこで、本発明の課題は、レイアウトの変更が容易となる構成を備えたカード処理装置を提供することにある。
【課題を解決するための手段】
【０００９】
上記の課題を解決するため、本発明のカード処理装置は、カードに対して所定の処理を行うカード処理部と、カードが複数積み重ねられて収納されたカードスタック部と、カード処理部とカードスタック部との間でカードを搬送するカード搬送部とを備え、カードスタック部は、モジュールとしてカード搬送部から分離可能に構成されると共に、カード搬送部から分離した状態において、独立してカードを排出可能に構成されていることを特徴とする。
【００１０】
本発明のカード処理装置では、カードスタック部がモジュールとしてカード搬送部から分離可能に構成されている。すなわち、カードスタック部が機能的にまとまった１つの部分としてカード搬送部から分離可能に構成されている。そのため、カード搬送部に対してカードスタック部を自由に配置することが可能になる。その結果、本発明のカード処理装置では、レイアウトの変更が容易になる。
【００１１】
また、上記の課題を解決するため、本発明のカード処理装置は、カードに対して所定の処理を行うカード処理部と、カードが複数積み重ねられて収納されたカードスタック部と、カード処理部とカードスタック部との間でカードを搬送するカード搬送部と、少なくともカードスタック部とカード搬送部とが載置される本体ベースとを備え、カードスタック部は、モジュールとして本体ベースに載置されると共に、カード搬送部から分離した状態において、独立してカードを排出可能に構成されていることを特徴とする。
【００１２】
本発明のカード処理装置では、カードスタック部がモジュールとして本体ベースに載置されている。すなわち、カードスタック部が機能的にまとまった１つの部分として本体ベースに載置されている。そのため、本体ベース上におけるカードスタック部の配置の変更が容易になる。その結果、本発明のカード処理装置では、レイアウトの変更が容易になる。
【００１３】
本発明において、カードスタック部は、カード搬送部に向かってカードを排出するカード排出機構を備えることが好ましい。このように構成すると、カード搬送部がカードスタック部の内部まで入り込んでカードを受け取る必要がなくなる。そのため、カードスタック部とカード搬送部との相対的な位置精度を高く保つ必要がなくなる。その結果、カードスタック部のモジュール化が容易になる。また、カード搬送部の構成が簡素化され、カード搬送部のモジュール化も容易になる。
【００１４】
さらに、上記の課題を解決するため、本発明のカード処理装置は、カードに対して所定の処理を行うカード処理部と、カードが複数積み重ねられて収納されたカードスタック部と、カード処理部とカードスタック部との間でカードを搬送するカード搬送部とを備え、カードスタック部は、カード搬送部に向かってカードを排出するカード排出機構を備え、
当該カード排出機構には、上記カード搬送部に向かってカードを排出するための駆動源となる駆動モータが備えられていることを特徴とする。
【００１５】
本発明のカード処理装置では、カードスタック部が、カード搬送部に向かってカードを排出するカード排出機構を備えている。そのため、カード搬送部がカードスタック部の内部まで入り込んでカードを受け取る必要がなくなり、カードスタック部とカード搬送部との相対的な位置精度を高く保つ必要がなくなる。したがって、カードスタック部やカード搬送部のモジュール化が容易になる。その結果、カードスタック部やカード搬送部の配置変更が容易になり、カード処理装置のレイアウト変更が容易になる。
【００１６】
本発明において、カードスタック部でのカードの排出方向と、カード搬送部でのカードの搬送方向とが直交することが好ましい。このように構成すると、カード搬送部に隣接させた状態で、より多くのカードスタック部を配置することができる。そのため、カードスタック部により多くの数のカードを収納したり、より多くの種類のカードを収納することが可能となる。
【００１７】
本発明において、カードスタック部とカード処理部とは、カード搬送部でのカードの搬送方向と直交する方向におけるカード搬送部の一方側と他方側とにそれぞれ配置されていることが好ましい。このように構成すると、カードの搬送方向で、カード処理装置の小型化を図ることが可能となる。
【００１８】
本発明において、カード搬送部は、カード排出機構によってカードスタック部から排出されるカードを引き込む引込機構を備えることが好ましい。このように構成すると、カード搬送部の内部へカードを確実に引き込むことができるため、カード搬送時のカードとカードスタック部との干渉を確実に防止することができる。
【００１９】
本発明において、カード搬送部は、引込機構の少なくとも一部が搭載されたキャリッジを備え、カードスタック部は、キャリッジの位置検出を行うための検出機構を備えることが好ましい。このように構成すると、モジュール化されたカードスタック部の配置を種々変更しても、引込機構が搭載されたキャリッジと、カードスタック部との位置合わせを確実に行うことができる。そのため、カードスタック部からカード搬送部へ確実にカードを受け渡すことができる。
【発明の効果】
【００２０】
以上説明したように、本発明にかかるカード処理装置では、そのレイアウトの変更が容易となる。
【発明を実施するための最良の形態】
【００２１】
以下、本発明を実施するための最良の形態を図面に基づいて説明する。
【００２２】
［実施の形態１］
（カード処理装置の概略構成）
図１は、本発明の実施の形態１にかかるカード処理装置１を示す斜視図である。
【００２３】
本形態のカード処理装置１は、所定の情報が記録されたカード２を発行するカード発行装置である。したがって、以下では、本形態のカード処理装置１をカード発行装置１と表記する。このカード発行装置１は、図１に示すように、カード２に情報を記録し、および／または、カード２に記録された情報を再生するカードリーダ部３と、発行前のカード２が収納された３つのカードスタック部４と、カードリーダ部３と３つのカードスタック部４との間でカード２を搬送するカード搬送部５と、不要となったカード２（廃カード）が収納されるカードリジェクト部６とを備えている。これらの構成はそれぞれ、モジュールとして、略矩形状の本体ベース７に載置されている。すなわち、これらの構成はそれぞれ、機能的にまとまった１つの部分として本体ベース７に載置されている。
【００２４】
なお、以下では、図１に示すように、カード発行装置１の前後方向をＸ方向、カード発行装置１の横方向をＹ方向、カード発行装置１の高さ方向をＺ方向とする。また、図１におけるカード発行装置１の奥側をＸ１方向、手前側をＸ２方向、右側をＹ１方向、左側をＹ２方向とする。また、Ｘ方向とＹ方向とから構成される平面をＸＹ平面、Ｙ方向とＺ方向とから構成される平面をＹＺ平面、Ｚ方向とＹ方向とから構成される平面をＺＸ平面とする。
【００２５】
図１に示すように、カードリーダ部３は、本体ベース７のＸ２方向端側で、かつ、Ｙ１方向端側に載置されている。カード搬送部５は、カードリーダ部３のＸ１方向側でカードリーダ部３に隣接するように本体ベース７に載置されている。３つのカードスタック部４は、カード搬送部５のＸ１方向側でカード搬送部５に隣接するように本体ベース７に載置されている。カードリジェクト部６は、カードリーダ部３のＹ２方向側、かつ、カード搬送部５のＸ２方向側で本体ベース７に載置されている。
【００２６】
カード２は、たとえば、磁気ストライプが表面に形成された磁気カードや、ＩＣ接点が表面に固定された接触式のＩＣカードや、通信用のアンテナが内蔵された非接触式のＩＣカード等である。
【００２７】
カードリーダ部３は、カード２の記録再生をカードリーダ９と、カードリーダ９が載置されるサブベース１０とを備えている。本形態では、カードリーダ部３は、カード２に対して所定の処理を行うカード処理部となっている。
【００２８】
カードリーダ９は、カード２の記録再生を行うための磁気ヘッド（図示省略）を備えている。また、カード２の種類によっては、カードリーダ９は、磁気ヘッドに代えて、あるいは、磁気ヘッドに加えて、非接触ＩＣカードと通信を行うためのアンテナ（図示省略）やＩＣ接点（図示省略）等の構成を備えても良い。このカードリーダ９は、カード発行装置１へのカード２の取込や、カード発行装置１からのカード２の排出、発行を行う前面側挿入口１１をＸ２方向端に備え、カード搬送部５へのカード２の排出や、カード搬送部５からのカード２の取込を行う後面側挿入口１２をＸ１方向端に備えている。
【００２９】
また、カードリーダ９は、カード２をＸ方向へ搬送するための搬送機構を備えている。この搬送機構は、カード２を搬送する搬送ローラ（図示省略）を備えている。この搬送ローラは、駆動モータ１３や複数のプーリ１４、ベルト１５等によって回転駆動され、カード２を搬送するようになっている。
【００３０】
サブベース１０は薄鋼板等の金属板から形成されている。このサブベース１０は、カードリーダ９が固定される上面部と、本体ベース７に固定される底面部とを備えている。また、サブベース１０には、上面部と底面部との間に、カードリーダ９の制御を行う制御基板１６が取り付けられている。この制御基板１６が、コネクタ（図示省略）を介して、カード発行装置１のメイン制御基板（図示省略）に接続されることで、カードリーダ部３は、メイン制御基板と信号の授受を行い、カード発行装置１の中で１つのまとまった機能を果たすようになっている。
【００３１】
カードリジェクト部６は、不要となったカード２が収納されるリジェクトボックス１７と、リジェクトボックス１７が載置されるサブベース１８とを備えている。
【００３２】
リジェクトボックス１７は、上面が開口した直方体の箱状に形成されている。このリジェクトボックス１７には、不要となったカード２の排出が行われるようになっている。たとえば、新規カードの発行に際して不要となる古いカードがカード搬送部５から排出されて、リジェクトボックス１７に収納されるようになっている。
【００３３】
サブベース１８は、サブベース１０と同様に薄鋼板等の金属板から形成されている。このサブベース１８の上面にリジェクトボックス１７が固定され、サブベース１８の下面は、本体ベース７に固定されている。
【００３４】
（カードスタック部の構成）
図２は、図１のカセット１９を示す斜視図であり、（Ａ）は閉じた状態を示し、（Ｂ）は開いた状態を示す図である。図３は、図１の紙面奥側からカセットホルダ２０を示す斜視図である。図４は、図３のカセットホルダ２０の繰出機構３１の構成を側面から説明するための説明図である。図５は、図３のカセットホルダ２０の繰出機構３１の構成を正面から説明するための説明図である。図６は、図４の搬送爪４５を示す図であり、（Ａ）は背面図、（Ｂ）は側面図である。図７は、図３の載置部３２を示す平面図である。
【００３５】
カードスタック部４は、図１に示すように、発行前のカード２が収納されるカセット１９と、カセット１９が収納されるカセットホルダ２０とを備えている。本形態のカード発行装置１は、上述のように、３つのカードスタック部４を備えており、３つのカードスタック部４は、図１に示すように、互いがＹ方向に隣接するように等ピッチで配置されている。また、３つのカードスタック部４はそれぞれ、モジュールとして、個別に本体ベース７に固定できるようになっている。すなわち、３つのカセットホルダ２０は、個別に本体ベース７に固定できるようになっている。また、後述の制御基板４３が、コネクタ（図示省略）を介して、カード発行装置１のメイン制御基板（図示省略）に接続されることで、カードスタック部４は、メイン制御基板と信号の授受を行い、カード発行装置１の中で１つのまとまった機能を果たすようになっている。
【００３６】
カセット１９は、図２に示すように、縦長で中空状の略直方体形状に形成されている。より具体的には、カード２が収納される部分におけるカセット１９のＸＹ平面と平行な断面形状がカード２の形状に対応する長方形状となるように、カセット１９は形成されている。このカセット１９は、図２（Ｂ）に示すように、前面側（Ｘ２方向側）でかつ上面側に配置された支軸２１を回転中心として、後面板２２と上面板２３と１つの側面板（図２（Ａ）では奥側の側面板）２４とが一体で回転するように構成されている。すなわち、カセット１９は、図２（Ａ）に示す閉じた状態から、支軸２１を回転中心として、後面板２２と上面板２３と側面板２４とが一体的に回転して、図２（Ｂ）に示す開いた状態となるように構成されている。
【００３７】
図２（Ｂ）に示す状態で、カセット１９の内部に発行前のカード２が複数積み重ねられて、カセット１９に複数のカード２が収納されるようになっている。また、図２（Ａ）に示す状態では、カセット１９の後面側は鍵等によって固定可能とされ、鍵等で固定されるとカセット１９が容易に開かないようになっている。
【００３８】
このカセット１９では、前面側でかつ下端側に形成された開口部２５からカード搬送部５に向かってカード２が繰り出される（排出される）ようになっている。また、カセット１９の底面２６には、図２（Ｂ）に示すように、Ｘ方向に細長い矩形状の孔部２６ａがＺ方向に貫通するように形成されている。この孔部２６ａに、カセットホルダ２０に設けられた後述の搬送爪４５が入り込んで、カセット１９内のカード２をカード搬送部５に向かって繰り出すようになっている。
【００３９】
カセットホルダ２０は、図３から図５に示すように、２つの側面板２７、２７と、側面板２７、２７をＸ２方向側（前面側）で連結する前面板２８と、側面板２７、２７をＸ１方向側（後面側）で連結する後面板２９とを備えた縦長で中空状の略直方体形状に形成されている。このカセットホルダ２０は、カセット１９に収納されたカード２をカード搬送部５へ繰り出す（排出する）繰出機構３１と、カセット１９が載置される載置部３２と、カード搬送部５を構成する後述のキャリッジ６０の位置を検出する検出機構３３とを備えている。なお、図３等に示すように、前面板２８は、１つのカセットホルダ２０の側面板２７、２７を連結するようにしても良いし、図１に示すように、３つのカセットホルダ２０の前面板２８を一体で形成し、この前面板２８によって、３つのカセットホルダ２０の側面板２７、２７を一体で連結するようにしても良い。
【００４０】
２つの側面板２７、２７の下端側には、本体ベース７への取付部２７ａ、２７ａがそれぞれ２箇所ずつ形成されている。また、前面板２８は、図３等に示すように、側面板２７、２７の高さ方向の上半分の部分の取り付けられており、この前面板２８の下側は開口している。そして、前面板２８の下側の開口部分からＸ２方向へ向かってカード２が繰り出されるようになっている。
【００４１】
載置部３２は、図５および図７に示すように、Ｘ方向から見た形状が略Ｌ形状でかつＸ方向に細長く形成された第１載置部材３４と、Ｘ方向から見た形状が略Ｌ形状でかつＸ方向に細長く形成された第２載置部材３５とを備えている。この第１載置部材３４と第２載置部材３５とは、図７に示すように、第２載置部材３５の側面に固定された３本の円柱状の取付部材３６と、この取付部材３６のそれぞれに螺合される３本のネジ３７とによって一体化されている。一体化された第１載置部材３４と第２載置部材３５とは、図５に示すように、第１載置部材３４の側面に固定された円柱状の取付部材３８および取付部材３８に螺合されるネジ３９と、第２載置部材３５の側面に固定された円柱状の取付部材４０および取付部材４０に螺合されるネジ４１とによって、側面板２７、２７に固定されている。
【００４２】
第２載置部材３５の上面３５ａには、図７に示すように、Ｙ２方向へ窪む凹部３５ｂ、３５ｂが２箇所に形成されている。より具体的には、第２載置部材３５の上面３５ａにおけるＸ方向の略中心位置と、Ｘ１方向端との２箇所に凹部３５ｂ、３５ｂが形成されている。この凹部３５ｂ、３５ｂを後述の搬送爪４５がＺ方向に通過するようになっている。また、第２載置部材３５には、図５等に示すように、繰出機構３１を構成する後述の駆動モータ５０を駆動するための制御基板４３が固定される固定部３５ｃが上面３５ａと略平行に形成されている。
【００４３】
図７に示すように、２つの凹部３５ｂ、３５ｂ間では、第１載置部材３４の上面３４ａと第２載置部材３５の上面３５ａとの間に、Ｙ方向に所定の幅を有する隙間４４が形成されている。より具体的には、Ｙ方向に略一定幅を有する隙間４４がＸ方向に細長く形成されている。この隙間４４を後述の搬送爪４５の固定部４５ｃが通過するようになっている。なお、第２載置部材３５に固定された３本の円柱状の取付部材３６は、搬送爪４５が移動するのに支障がない位置の配置されている。
【００４４】
第１載置部材３４の上面３４ａと第２載置部材３５の上面３５ａとは、１つの平面となるように、ＸＹ平面と平行に形成されており、カセット１９の載置面になっている。すなわち、上面３４ａ、３５ａの上側に形成された空間が、カセット１９の収納部となっている。これらの上面３４ａ、３５ａは、Ｚ方向では、前面板２８の下端よりも下側に配置されている。また、カセット１９が上面３４ａ、３５ａに載置されると、隙間４４と、カセット１９の底面２６に形成された孔部２６ａとがＺ方向で重なるようになっている。
【００４５】
繰出機構３１は、図４等に示すように、カセット１９に収納されたカード２をカード搬送部５に向かって搬送する搬送爪４５と、搬送爪４５が固定されたチェーン４６と、チェーン４６が噛み合うように掛け渡される２つのスプロケット４７、４７と、スプロケット４７、４７がそれぞれ固定された２本の回転軸４８、４８と、２本の回転軸４８、４８のうちの１本の回転軸４８の一方の軸端に固定されたプーリ４９と、ステッピングモータ等の駆動モータ５０と、駆動モータ５０の出力軸の先端側に固定されたプーリ５１と、プーリ４９、５１に掛け渡されるベルト５２とを備えている。この繰出機構３１は、カード搬送部５に向かってカード２を排出するカード排出機構に相当する。なお、図５では、便宜上、搬送爪４５およびチェーン４６の図示は省略している。
【００４６】
駆動モータ５０は、図５に示すように、カセットホルダ２０の下端で、一方（Ｙ１方向側）の側面板２７の内側に固定されている。駆動モータ５０が固定された側面板２７の外側（Ｙ１方向側）には、駆動モータ５０の出力軸が突出している。
【００４７】
２本の回転軸４８、４８はそれぞれ、図５に示すように、第１載置部材３４の側面に固定された軸受５４、５４（図５では一方の軸受５４のみを図示）と、第２載置部材３５の側面に固定された軸受５５、５５（図５では一方の軸受５５のみを図示）とによって、第１載置部材３４および第２載置部材３５に回転可能に保持されている。より具体的には、２本の回転軸４８、４８は、Ｘ方向に所定の間隔を保った状態で、ほぼ同じ高さに配置されている。２本の回転軸４８、４８のうち、Ｘ２方向側に配置される回転軸４８の軸端は、駆動モータ５０が固定された側面板２７の外側（Ｙ１方向側）に突出している。そして、この突出部分に、プーリ４９が固定されている。
【００４８】
スプロケット４７、４７はそれぞれ、回転軸４８、４８に固定された状態で、図５に示すように、第１載置部材３４の側面と、第２載置部材３５の側面との間に配置されている。
【００４９】
搬送爪４５は、図６に示すように、カセット１９の内部に収納されたカード２のＸ１方向端に当接する当接部４５ａが形成されたカード繰出部４５ｂと、チェーン４６に固定される固定部４５ｃとを備えている。この搬送爪４５は、Ｘ方向から見た形状が略Ｌ形状になるように形成されている。すなわち、搬送爪４５では、上側に配置されるカード繰出部４５ｂの幅が下側に配置される固定部４５ｃよりも広くなっている。
【００５０】
カード繰出部４５ｂは、第２載置部材３５の上面３５ａに形成された凹部３５ｂ、３５ｂをＺ方向へ通過できるようになっている。また、カード繰出部４５ｂは、カセット１９の底面２６に形成された孔部２６ａをＺ方向へ通過できるとともに、孔部２６ａ内をＸ２方向に向かって移動できるようになっている。すなわち、カード繰出部４５ｂのＹ方向の幅は、凹部３５ｂ、３５ｂの窪み量および、孔部２６ａのＹ方向の幅よりも小さくなっている。また、固定部４５ｃは、第１載置部材３４の上面３４ａと、第２載置部材３５の上面３５ａとの間に形成された隙間４４をＸ２方向に向かって移動できるようになっている。すなわち、固定部４５ｃのＹ方向の幅は、隙間４４のＹ方向の幅よりも小さくなっている。
【００５１】
このように、チェーン４６に固定された搬送爪４５は、スプロケット４７、４７の回転に伴って、Ｘ１方向端に形成された一方の凹部３５ｂを上に向かって通過して、第１載置部材３４の上面３４ａおよび第２載置部材３５の上面３５ａの上方に現れ、カード繰出部４５ｂが上面３４ａ、３５ａよりも上側に突出した状態でＸ２方向へ移動するようになっている。また、搬送爪４５は、他方の凹部３５ｂを下に向かって通過して、上面３４ａ、３５ａの下側に隠れるようになっている。また、カード繰出部４５ｂが上面３４ａ、３５ａよりも上側に突出した状態でＸ２方向へ移動する際には、カセット１９の一番下に収納されたカード２のＸ１方向端に、当接部４５ａが当接して、カード２をＸ２方向へ繰り出すようになっている。
【００５２】
検出機構３３は、図３に示すように、発光素子および受光素子（図示省略）を有するフォトセンサ５６と、フォトセンサ５６が固定された基板５７とから構成されている。基板５７は、図示を省略するコネクタによって、制御基板４３に接続されている。この検出機構３３は、カセットホルダ２０の前面側（Ｘ２方向側）で、一方（Ｙ１方向側）の側面板２７に固定されている。
【００５３】
（カード搬送部の構成）
図８は、図１の紙面手前側からカード搬送部５を示す斜視図である。図９は、図１の紙面奥側からカード搬送部５を示す斜視図である。図１０は、図８のカード搬送部５のカード搬送機構６２を正面から説明するための説明図である。図１１は、図８のカード搬送部５の引込機構６１を正面から説明するための説明図である。図１２は、図８のカード搬送部５の引込機構６１を側面から説明するための説明図である。
【００５４】
カード搬送部５は、図８等に示すように、ＺＸ平面と平行に形成され、Ｙ方向に所定の間隔を保った状態で配設された２枚の側板５９、５９と、２枚の側板５９、５９の間でＹ方向に移動するキャリッジ６０とを備えている。また、カード搬送部５は、図１０から図１２に示すように、カードリーダ部３から排出されたカード２やカードストック部４から繰り出された（排出された）カード２をキャリッジ６０の内部に引き込む引込機構６１と、キャリッジ６０の内部の引き込まれたカード２をキャリッジ６０とともにＹ方向へ搬送するカード搬送機構６２とを備えている。このカード搬送部５は、引込機構６１やカード搬送機構６２を駆動制御する制御基板（図示省略）を備えている。そして、この制御基板が、コネクタ（図示省略）を介して、カード発行装置１のメイン制御基板（図示省略）に接続されることで、カード搬送部５は、メイン制御基板と信号の授受を行い、カード発行装置１の中で１つのまとまった機能を果たすようになっている。なお、引込機構６１は、カードリーダ部３やカードリジェクト部６に向かってカード２を送り出す送出機構を兼ねている。
【００５５】
側板５９、５９は、図８等に示すように、Ｘ方向から見た形状が略Ｌ形状となるように形成されている。この側板５９、５９の下端側は、本体ベース７に固定される固定部となっている。
【００５６】
カード搬送機構６２は、図９および図１０に示すように、一方の側板５９に一端が固定され、他方の側板５９に他端が固定された細長で円柱状の２本のガイド軸６３、６３と、２枚の側板５９、５９を連結する連結板６４に取り付けられた２つのプーリ６５、６５と、ステッピングモータ等の駆動モータ６６と、駆動モータ６６の出力軸に固定されたプーリ６７と、２つのプーリ６５、６５およびプーリ６７に掛け渡されたベルト６８と、、ベルト６８のテンションの調整をするテンションローラ６９とを備えている。なお、図１０では、連結板６４の図示を省略している。
【００５７】
２本のガイド軸６３、６３の一方のガイド軸６３の両端は、側板５９、５９の上端側でかつＸ１方向端側に固定され、他方のガイド軸６３の両端は、側板５９、５９の上端側でかつＸ２方向端側に固定されている。このガイド軸６３、６３には、キャリッジ６０を構成する後述の側板７０、７０のそれぞれに２つずつ取り付けられた摺動部材７１が挿通されている。すなわち、ガイド軸６３、６３にはそれぞれ、一方の側板７０に取り付けられた摺動部材７１と他方の側板７０に取り付けられた摺動部材７１との２つの摺動部材７１が挿通されている。この摺動部材７１によって、キャリッジ６０は、ガイド軸６３、６３に沿ってＹ方向へ滑らかに移動できるようになっている。
【００５８】
連結板６４は、Ｘ１方向端側かつ下側で側板５９、５９を連結している。２つのプーリ６５、６５の一方のプーリ６５は、連結板６４のＹ１方向端側かつ上端側に回転可能に取り付けられ、他方のプーリ６５は、連結板６４のＹ２方向端側かつ上端側に回転可能に取り付けられている。駆動モータ６６は、連結板６４のＹ２方向端側で他方のプーリ６５の下側に固定されている。また、駆動モータ６６の出力軸が連結板６４からＸ１方向に突出するように、駆動モータ６６は、連結板６４に固定されている。
【００５９】
ベルト６８の一部分は、キャリッジ６０に固定されている。そのため、駆動モータ６６が回転駆動すると、ベルト６８とともにキャリッジ６０がＹ方向へ移動するようになっている。
【００６０】
キャリッジ６０は、ＺＸ平面と平行に形成された２枚の側板７０、７０を備えている。この２枚の側板７０、７０が図示を省略する固定部材によってＹ方向に所定の間隔を保った状態で固定されることで、キャリッジ６０の骨格が形成されている。
【００６１】
引込機構６１は、カードリーダ部３等から排出されたカード２をキャリッジ６０の内部に引き込んだり、キャリッジ６０内部のカード２をカードリーダ部３等に送り出す２つの駆動ローラ７２、７２と、駆動ローラ７２、７２のそれぞれの上側に対向するように配設された従動ローラ７３、７３と、駆動ローラ７２、７２と一体で形成されたプーリ７４、７４と、プーリ７４、７４に動力を伝達するベルト７５と、プーリ７４、７４とともにベルト７５が掛け渡されるプーリ７６と、プーリ７６とともに回転する長尺状の回転軸７７と、回転軸７７の一端に固定されたプーリ７８と、ステッピングモータ等の駆動モータ７９と、駆動モータ７９の出力軸に固定されたプーリ８０と、プーリ７８とプーリ８０とに掛け渡されたベルト８１とを備えている。また、引込機構６１は、図１２に示すように、ベルト７５のテンションを調整するテンションローラ８２を備えている。
【００６２】
駆動モータ７９は、図１１等に示すように、Ｙ１方向側に配置された側板５９の下端側に固定されている。この駆動モータ７９が固定された側板５９の外側（Ｙ１方向側）に、駆動モータ７９の出力軸が突出している。
【００６３】
回転軸７７は、駆動モータ７９よりも上側で、２枚の側板５９、５９に回転可能に保持されている。より具体的には、回転軸７７は、側板５９、５９のそれぞれに固定された軸受８３、８３にその両端が支持されることで、側板５９、５９に回転可能に保持されている。また、回転軸７７では、図１１等に示すように、軸受８３、８３に支持される部分は円柱状に形成され、その間の部分は六角柱状に形成されている。このように構成することで、駆動モータ７９からプーリ７８、８０およびベルト８１を介して回転軸７７に伝達された動力をプーリ７６に伝達できるようになっている。プーリ７８は、回転軸７７のＹ１方向端に固定されている。
【００６４】
プーリ７６は、略円筒状に形成されており、その内周側に回転軸７７が挿通されている。本形態では、プーリ７６の内周側は、Ｙ方向から見て回転軸７７の外形より若干大きな六角形となるように形成されている。そのため、回転軸７７が回転するとプーリ７６も回転するようになっている。また、プーリ７６は、キャリッジ６０の一部を構成しており、プーリ７６の内周側は、回転軸７７と摺動可能になっている。すなわち、プーリ７６は、回転軸７７に沿ってＹ方向へ滑らかに移動するようになっている。
【００６５】
駆動ローラ７２、７２および駆動ローラ７２、７２と一体で形成されたプーリ７４、７４はキャリッジ６０に搭載されている。より具体的には、駆動ローラ７２、７２およびプーリ７４、７４は、図８や図１１等に示すように、２枚の側板７０、７０に両端を固定された固定軸８４、８４に回転可能に保持されている。すなわち、駆動ローラ７２、７２およびプーリ７４、７４は軸受を内蔵している。
【００６６】
従動ローラ７３、７３もキャリッジ６０に搭載されている。より具体的には、図８および図９に示すように、２枚の側板７０、７０には、固定軸８５、８５の両端が固定されている。そして、この固定軸８５、８５には、先端側に従動ローラ７３、７３をそれぞれ回転可能に保持したレバー部材８６、８６の基端側が揺動可能に保持されている。また、レバー部材８６、８６は、先端側に保持された従動ローラ７３、７３がそのそれぞれに対向する駆動ローラ７２、７２に向かって付勢力を受けるように、図示を省略する付勢部材によって付勢されている。
【００６７】
図１２に示すように、２つの駆動ローラ７２、７２および従動ローラ７３、７３は、キャリッジ６０の内部の取り込まれた状態のカード２の少なくとも両端を、二対の駆動ローラ７２と従動ローラ７３とによって挟持できる間隔（Ｘ方向の間隔）で、配置されている。
【００６８】
このように、引込機構６１では、駆動モータ７９が回転すると駆動ローラ７２、７２が回転するようになっている。そして、カードリーダ部３等から排出されたカード２は、駆動ローラ７２、７２と、駆動ローラ７２、７２に向かって付勢された従動ローラ７３、７３とによって、キャリッジ６０の内部に引き込まれるようになっている。また、キャリッジ６０の内部のカード２は、駆動ローラ７２、７２と従動ローラ７３、７３とによって、カードリーダ部３等へ送り出されるようになっている。
【００６９】
また、キャリッジ６０は、図８および図９に示すように、カード２のＸ方向端をキャリッジ６０の内部へ適切に案内するための２つのガイド部８７、８７と、検出機構３３によって、キャリッジ６０の位置を検出するための検出板８８とを備えている。また、側板７０、７０には、カード２のＹ方向の両側面をキャリッジ６０の内部へ適切に案内するためのガイド部７０ａが形成されている。
【００７０】
ガイド部８７、８７では、側板７０、７０のそれぞれに２枚ずつ固定された平板状のガイド板が、カード２の厚みに対応するように高さ方向で所定の間隔を保った状態で配置されている。また、ガイド部８７、８７のＸ方向両端部では、カード２を適切にキャリッジ６０の内部へ案内できるように、２枚のガイド板の間隔がＸ方向外側に向かって次第に広がるようになっている（図８および図９参照）。
【００７１】
ガイド部７０ａは、２枚の側板７０、７０のそれぞれのＸ方向両端に形成されている。すなわち、図８および図９に示すように、本形態のキャリッジ６０には、４つのガイド部７０ａが形成されている。このガイド部７０ａはそれぞれ、側板７０、７０のＸ方向両端からＹ方向外側へ開くように形成されている。
【００７２】
検出板８８は平板状に形成されている。この検出板８８は、図９に示すように、キャリッジ６０のＸ１方向端側かつ下端側に、ＸＹ平面と平行に固定されている。また、検出板８８は、キャリッジ６０からＸ１方向に突出している。
【００７３】
（カード発行装置の概略動作）
以上のように構成されたカード発行装置１の概略動作の例を以下に説明する。なお、以下で説明する概略動作は、カード発行装置１の概略動作の一例であり、カード発行装置１の動作は下記に説明するものには限定されない。
【００７４】
まず、たとえば、３つのカセット１９のそれぞれに異なる種類のカード２が収納されている場合のカード発行装置１でのカード２の発行動作について説明する。
【００７５】
所定のカード２を発行するように、カード発行装置１が搭載される金融端末装置等の上位装置からカード発行指令が出されると、キャリッジ６０が、所定のカード２が収納されたカセット１９の位置へ移動する。より具体的には、駆動モータ６６が回転駆動して、キャリッジ６０が移動する。また、キャリッジ６０が停止すべきカセットホルダ２０の前面側に固定された検出機構３３によって、キャリッジ６０に設けられた検出板８８が検出されると、キャリッジ６０が停止する。
【００７６】
キャリッジ６０が停止すると、繰出機構３１が、カセット１９の一番下に収納されたカード２をキャリッジ６０に向かって繰り出す。より具体的には、駆動モータ５０の回転駆動に伴って、搬送爪４５の当接部４５ａがカセット１９の一番下に収納されたカード２のＸ１方向端に当接して、カード２をＸ２方向へ繰り出す。
【００７７】
カード２が繰り出されると、キャリッジ６０の引込機構６１がこのカード２をキャリッジ６０の内部に引き込む。より具体的には、駆動モータ７９の回転駆動に伴って回転する駆動ローラ７２、７２と、従動ローラ７３、７３がカード２をキャリッジ６０の内部に引き込む。
【００７８】
カード２がキャリッジ６０の内部に引き込まれると、必要に応じて、キャリッジ６０は、カードリーダ９の位置まで移動する。キャリッジ６０がカードリーダ９まで移動すると、キャリッジ６０の引込機構６１がカードリーダ９に向かってカード２を送出する。より具体的には、駆動モータ７９の回転駆動に伴って回転する駆動ローラ７２、７２と、従動ローラ７３、７３がキャリッジ６０の内部からカードリーダ９の後面側挿入口１２へカード２を送出する。
【００７９】
カード２がキャリッジ６０の内部から後面側挿入口１２へ送出されると、カードリーダ９の搬送機構がカード２を前面側挿入口１１に向かって搬送する。後面側挿入口１２から前面側挿入口１１に搬送するまでの間に所定の情報がカード２に記録される。所定の情報が記録されたカード２は、前面側挿入口１１から発行（排出）される。
【００８０】
次に、不要となったカード２のリジェクト動作について説明する。
【００８１】
カードリーダ９の前面側挿入口１１からカード２が挿入されると、カードリーダ９の搬送機構がカード２を後面側挿入口１２に搬送するまでの間にカード２に記録された所定の情報が再生される。そして、挿入されたカード２が不要なカードであると判断されると、カードリーダ９の搬送機構は、後面側挿入口１２から予め所定位置に待機しているキャリッジ６０に向かってカード２を排出する。
【００８２】
カード２が排出されると、キャリッジ６０の引込機構６１がこのカード２をキャリッジ６０の内部に引き込む。カード２が引き込まれると、キャリッジ６０は、リジェクトボックス１７の位置まで移動する。その後、キャリッジ６０の引込機構６１がリジェクトボックス１７に向かってカード２を送出する。なお、必要であれば、上述した動作によって、新たなカード２が発行される。
【００８３】
（本形態の主な効果）
以上説明したように、本形態のカード発行装置１では、カードリーダ部３、カードスタック部４、カード搬送部５および、カードリジェクト部６が、モジュールとして本体ベース７に載置されている。すなわち、これらの構成がそれぞれ、機能的にまとまった１つの部分として本体ベース７に載置されている。そのため、カードスタック部４は、カード搬送部５から分離可能となっている。したがって、カード搬送部５に対してカードスタック部４を自由に配置することが可能になる。また、カードリーダ部３、カードスタック部４、カード搬送部５および、カードリジェクト部６の配置を、本体ベース７上で容易に変更することができる。そのため、本形態のカード発行装置１では、各構成のレイアウトの変更が容易になる。
【００８４】
本形態では、カセットホルダ２０が、カード搬送部５に向かってカード２を排出する繰出機構３１を備えている。そのため、カード搬送部５に、カセットホルダ２０の内部まで入り込んでカード２を受け取るための機構を設ける必要がなくなる。したがって、カードスタック部４とカード搬送部５との相対的な位置精度を高く保つ必要がなくなる。その結果、カードスタック部４のモジュール化が容易になる。また、カード搬送部５の構成が簡素化され、カード搬送部５のモジュール化も容易になる。そのため、カード発行装置１のレイアウト変更が容易になる。
【００８５】
本形態では、カセットホルダ２０からのカード２の排出方向と、カード搬送部５でのカード２の搬送方向（キャリッジ６０の移動方向）とが直交する。そのため、カード搬送部５にＸ方向で隣接させた状態で、より多くのカードスタック部４を配置することができる。そのため、カセット１９が複数配設されることで、多くの数のカード２を収納したり、より多くの種類のカード２を収納することができる。
【００８６】
本形態では、カードスタック部４は、カード搬送部５のＸ１方向側に隣接するように配置され、カードリーダ部３は、カード搬送部５のＸ２方向側に隣接するように配置されている。そのため、Ｙ方向では、カード発行装置１の小型化を図ることが可能となる。
【００８７】
本形態では、カード搬送部５は、カセットホルダ２０から繰り出されたカード２をキャリッジ６０の内部へ引きこむ引込機構６１を備えている。そのため、キャリッジ６０の内部へカード２を確実に引き込むことができる。その結果、カード搬送時のカード２とカードスタック部４との干渉を確実に防止することができる。
【００８８】
本形態では、カセットホルダ２０が、キャリッジ６０の位置検出を行うための検出機構３３を備えている。そのため、モジュール化されたカードスタック部４の配置を種々変更しても、引込機構６１が搭載されたキャリッジ６０と、カセットホルダ２０との位置合わせを確実に行うことができる。そのため、カードスタック部４からカード搬送部５へ確実にカード２を受け渡すことができる。
【００８９】
（実施の形態１の変形例）
上述した実施の形態１のカード発行装置１は、３つのカードスタック部４を備えている。しかし、カードスタック部４の数は３つには限定されず、たとえば、図１３に示すカード発行装置１０１のように、５つのカードスタック部４を備えていても良い。また、カード発行装置のカードスタック部４の数は、１つや２つあるいは４つでも良いし、６つ以上であっても良い。
【００９０】
［実施の形態２］
図１４は、本発明の実施の形態２にかかるカード発行装置２０１を示す平面図である。図１５は、図１４のカード発行装置２０１を示す側面図である。
【００９１】
実施の形態２のカード発行装置２０１は、延長搬送部２０６を備える点およびカードリジェクト部６を備えていない点が、実施の形態１のカード発行装置１と相違する。また、カードリーダ部３やカードストック部４等が載置される本体ベース２０７の形状や、本体ベース２０７上での各構成の配置が相違する。以下では、実施の形態１のカード発行装置１と相違する構成を中心に本形態のカード発行装置２０１の構成を説明する。なお、カード発行装置２０１では、上記の構成以外の構成は、実施の形態１のカード発行装置１と共通するため、共通する構成については、同一の符号を付してその説明を省略または簡略化する。あるいは、カード発行装置１と共通する構成については、その図示および説明を省略する。
【００９２】
本形態のカード発行装置２０１は、図１４に示すように、カードリーダ部３と、カードスタック部４と、カード搬送部５と、延長搬送部２０６とを備えている。これらの構成はそれぞれ、モジュールとして、本体ベース２０７に載置されている。
【００９３】
本体ベース２０７は、図１４に示すように、略Ｌ形状に形成されている。より具体的には、本体ベース２０７は、Ｘ２方向側の部分のＹ方向の幅がＸ１方向側の部分のＹ方向の幅よりも狭くなった略Ｌ形状に形成されている。このように形成することで、Ｙ方向の幅が狭くなった本体ベース２０７のＸ２方向側の部分にＹ１方向で隣接するように、カード発行装置２０１が搭載される金融端末装置等の上位装置の構成を配置することが可能になる。
【００９４】
図１４に示すように、カードリーダ部３は、本体ベース２０７のＸ２方向端側に載置されている。延長搬送部２０６は、カードリーダ部３のＸ１方向側でカードリーダ部３に隣接するように本体ベース２０７に載置されている。カード搬送部５は、延長搬送部２０６のＸ１方向側で延長搬送部２０６に隣接するように本体ベース２０７に載置されている。３つのカードスタック部４は、カード搬送部５のＸ１方向側でカード搬送部５に隣接するように本体ベース２０７に載置されている。
【００９５】
延長搬送部２０６は、カードリーダ９の後面側挿入口１２からＸ１方向へ排出されたカード２をカード搬送部５まで搬送し、また、カード搬送部５からＸ２方向へ送出されたカード２をカードリーダ９の後面側挿入口１２まで搬送するように構成されている。より具体的には、図１４に示すように、カード２を搬送するための４つの搬送ローラ２１０を備えている。この搬送ローラ２１０は、駆動モータ２１１（図１５参照）、プーリ２１２、ベルト２１３等によって回転駆動されるように構成されている。この延長搬送部２０６は、駆動モータ２１１を駆動制御する制御基板（図示省略）を備えている。そして、この制御基板が、コネクタ（図示省略）を介して、カード発行装置２０１のメイン制御基板（図示省略）に接続されることで、延長搬送部２０６は、メイン制御基板と信号の授受を行い、カード発行装置２０１の中で１つのまとまった機能を果たすようになっている。なお、実施の形態２では、延長搬送部２０６は、カード２に対して所定の処理を行うカード処理部となっている。
【００９６】
このように構成されたカード発行装置２０１も、上述した実施の形態１のカード発行装置１と同様の効果を得ることができる。
【００９７】
［実施の形態３］
図１６は、本発明の実施の形態３にかかるカード発行装置３０１を示す斜視図である。図１７は、図１６のカード発行装置３０１を示す平面図である。図１８は、図１７のＥ−Ｅ方向からカード発行装置３０１を示す側面図である。図１９は、図１７のカード回転部３０５を示す図であり、（Ａ）は取付部材３１３が一方向へ傾いた状態を示す図、（Ｂ）は取付部材３１３が他方向へ傾いた状態を示す図である。
【００９８】
実施の形態３のカード発行装置３０１は、５つのカードスタック部４を備えている点、カード回転部３０５を備えている点、および、カードリジェクト部３０６が本体ベース３０７の下側に配置されている点が、実施の形態１のカード発行装置１と相違する。以下では、実施の形態１のカード発行装置１と相違する構成を中心に本形態のカード発行装置３０１の構成を説明する。なお、カード発行装置３０１では、上記の構成以外の構成は、実施の形態１のカード発行装置１と共通するため、共通する構成については、同一の符号を付してその説明を省略または簡略化する。あるいは、カード発行装置１と共通する構成については、その図示および説明を省略する。
【００９９】
本形態のカード発行装置３０１は、図１６から図１８に示すように、カードリーダ部３と、５つのカードスタック部４と、カード搬送部５と、カード２を所定方向へ回転可能なカード回転部３０５とを備えている。これらの構成はそれぞれ、モジュールとして、本体ベース３０７に載置されている。また、カード発行装置１は、カードリジェクト部３０６を備えている。
【０１００】
図１７に示すように、カードリーダ部３は、本体ベース３０７のＸ２方向端側のＹ方向の中心位置に載置されている。カード搬送部５は、カードリーダ部３のＸ１方向側でカードリーダ部３に隣接するように本体ベース３０７に載置されている。３つのカードスタック部４は、カード搬送部５のＸ１方向側でカード搬送部５に隣接するように本体ベース３０７に載置されている。また、カードリーダ部３のＹ２方向側、かつ、カード搬送部５のＸ２方向側では、１つのカードスタック部４が本体ベース３０７に載置されている。カードリーダ部３のＹ１方向側、かつ、カード搬送部５のＸ２方向側には、カード回転部３０５が本体ベース３０７に載置され、カードリーダ部３のＹ１方向側、かつ、カード回転部３０５のＸ２方向側では、１つのカードスタック部４が本体ベース３０７に載置されている。
【０１０１】
本体ベース３０７の、カード回転部３０５が載置される部分には、上下方向に貫通する貫通孔（図示省略）が形成されている。図１８に示すように、この貫通孔の下方にカードリジェクト部３０６が配置されている。
【０１０２】
カード回転部３０５は、図１９に示すように、カード２を搬送する２つの駆動ローラ３１１、３１１と、駆動ローラ３１１、３１１のそれぞれに対向する２つの従動ローラ３１２、３１２を備えている。この駆動ローラ３１１、３１１および従動ローラ３１２、３１２は、取付部材３１３に回転可能に取り付けられている。取付部材３１３は、カード回転部３０５のフレーム３１４の略中心位置に固定されＹ方向を軸方向とする固定軸３１５を揺動中心として揺動するようになっている。フレーム３１４の下端側は、本体ベース３０７に形成された貫通孔に連通するように開口している。
【０１０３】
また、カード回転部３０５は、駆動ローラ３１１、３１１を駆動する搬送駆動手段と、取付部材３１３を揺動させる揺動駆動手段とを備えている。このカード回転部３０５は、搬送駆動手段や揺動駆動手段を駆動制御する制御基板（図示省略）を備えている。そして、この制御基板が、コネクタ（図示省略）を介して、カード発行装置３０１のメイン制御基板（図示省略）に接続されることで、カード回転部３０５は、メイン制御基板と信号の授受を行い、カード発行装置３０１の中で１つのまとまった機能を果たすようになっている。なお、本形態では、カード回転部３０５は、カード２に対して所定の処理を行うカード処理部となっている。
【０１０４】
駆動ローラ３１１、３１１を駆動する搬送駆動手段は、フレーム３１４の上部に固定された駆動モータ３１６と、駆動モータ３１６の出力軸に固定されたプーリ３１７と、固定軸３１５を回転中心として回転するプーリ３１８と、プーリ３１７とプーリ３１８とに掛け渡されたベルト３１９とを備えている。また、この搬送駆動手段は、プーリ３１８と一体で形成されたプーリ（図示省略）と、駆動ローラ３１１、３１１のそれぞれと一体で形成されたプーリ（図示省略）と、これらのプーリに掛け渡されたベルトを備えている。そして、駆動モータ３１６が駆動されると駆動ローラ３１１、３１１が回転するようになっている。
【０１０５】
２つの従動ローラ３１２、３１２は、それぞれが対向する駆動ローラ３１１、３１１に向かって図示を省略する付勢手段によって付勢されている。この従動ローラ３１２、３１２は、駆動ローラ３１１、３１１とともに、カード２をＸ方向へ搬送するようになっている。
【０１０６】
２つの駆動ローラ３１１、３１１および従動ローラ３１２、３１２は、カード回転部３０５の内部に取り込まれた状態のカード２の少なくとも両端を、二対の駆動ローラ３１１と従動ローラ３１２とによって挟持できる間隔（Ｘ方向の間隔）で、配置されている。
【０１０７】
取付部材３１３を揺動させる揺動駆動手段は、フレーム３１４の上部に固定された駆動モータ３２０と、駆動モータ３２０の出力軸に固定されたプーリ３２１と、固定軸３１５を回転中心として回転するプーリ３２２と、プーリ３２１とプーリ３２２とに掛け渡されたベルト３２３とを備えている。
【０１０８】
取付部材３１３とプーリ３２２とは固定されている。すなわち、取付部材３１３とプーリ３２２とは一体で回転するようになっている。そのため、取付部材３１３は、駆動モータ３２０が一方向へ駆動されると、図１９（Ａ）に示すように、固定軸３１５を中心にＸ２方向へ傾斜するように揺動し、駆動モータ３２０が他方向へ駆動されると、図１９（Ｂ）に示すように、固定軸３１５を中心にＸ１方向へ傾斜するように揺動するようになっている。
【０１０９】
カードリジェクト部３０６は、Ｘ方向で隣接するように配置された２つのリジェクトボックス３３０、３３０を備えている。リジェクトボックス３３０、３３０は上面が開口しており、本体ベース３０７の貫通孔を通過したカード２が収納されるようになっている。
【０１１０】
取付部材３１３は、図１８に示すように、通常は、水平状態になっている。そして、カード回転部３０５のＸ２方向に隣接するように配置されたカードスタック部４から繰り出されたカード２を、駆動ローラ３１１、３１１および従動ローラ３１２、３１２で搬送して、カード搬送部５に向かって排出するようになっている。
【０１１１】
また、カードリーダ９に不要となるカード２が取り込まれると、カード搬送部５を介してカード回転部３０５にカード２が取り込まれるようになっている。より具体的には、取付部材３１３が水平となった状態で、キャリッジ６０の引込機構６１によって送り出されたカード２が駆動ローラ３１１、３１１および従動ローラ３１２、３１２によってカード回転部３０５の内部へ取り込まれるようになっている。
【０１１２】
カード回転部３０５の内部へ不要となったカード２が取り込まれると、図１９に示すように、取付部材３１３が揺動することで傾斜して、カード２がカードリジェクト部３０６に排出されるようになっている。より具体的には、図１９（Ａ）に示すように、取付部材３１３がＸ２方向へ傾斜したときに、Ｘ２方向側のリジェクトボックス３３０にカード２が排出され、図１９（Ｂ）に示すように、取付部材３１３がＸ１方向へ傾斜したときに、Ｘ１方向側のリジェクトボックス３３０にカード２が排出されるようになっている。
【０１１３】
以上のように構成されたカード発行装置３０１も、上述した実施の形態１のカード発行装置１と同様の効果を得ることができる。
【０１１４】
［他の実施の形態］
上述した各形態は、本発明の好適な形態の一例ではあるが、これに限定されるものではなく本発明の要旨を変更しない範囲において種々変形実施が可能である。
【０１１５】
上述した各形態では、カードリーダ部３、カードスタック部４、カード搬送部５、カードリジェクト部６、延長搬送部２０６およびカード回転部３０５がモジュールとして本体ベース７、２０７、３０７に載置されているが、本体ベース７、２０７、３０７に載置されるのは、これらの構成に限定されない。この他にもたとえば、カード２の片面または両面に所定の印刷を行うプリンタをモジュールとして本体ベース７、２０７、３０７に載置しても良い。この場合には、カード搬送部５に隣接するようにプリンタを配置するのが好ましい。また、この場合には、上述したカード回転部３０５と同様の構成を用いて、カード２の表面と裏面とを反転させるようにすれば良い。すなわち、モジュール化されたカード反転部を用いてカード２の表面と裏面とを反転させれば良い。なお、この場合には、プリンタやカード反転部は、カード２に対して所定の処理を行うカード処理部となる。
【０１１６】
また、カード発行装置１、１０１、２０１、３０１に複数枚のカード２が取り込まれても処理が可能となるように、カード２を一時的に保持するカード保持部をモジュールとして本体ベース７、２０７、３０７に載置しても良い。この場合、カード保持部は、搬送ローラを備え、搬送ローラによってカード２の取込および排出が行われるように構成されていれば良い。また、この場合には、カード搬送部５に隣接するようにカード保持部を配置するのが好ましい。なお、この場合には、カード保持部は、カード２に対して所定の処理を行うカード処理部となる。
【０１１７】
また、上述した各形態では、カードスタック部４が個別に本体ベース７、２０７、３０７に載置されるようになっている。この他にもたとえば、複数（たとえば、３つや５つ）のカードスタック部４が一体化され、一体化されたカードスタック部４がモジュールとして本体ベース７、２０７、３０７に載置されるように構成しても良い。
【０１１８】
さらに、上述した各形態では、カードスタック部４がカード繰出機構３１を備え、カード搬送部５に向かってカード２を排出している。この他にもたとえば、キャリッジ６０にカセット１９からカード２を取り出す取出機構を設けても良い。
【０１１９】
さらにまた、上述した各形態では、カードスタック部４は略等ピッチで隣接するように、本体ベース７、２０７、３０７に載置されている。この他にもたとえば、カードスタック部４は、略等ピッチでそれぞれが離間した状態で、本体ベース７、２０７、３０７に載置されても良いし、異なるピッチでそれぞれが離間した状態で、本体ベース７、２０７、３０７に載置されても良い。この場合であっても、カセットホルダ２０が検出機構３３を備えているため、キャリッジ６０とカセットホルダ２０との位置合わせを確実に行うことができる。
【０１２０】
また、上述した各形態では、フォトセンサ５６を用いて検出機構３３を構成しているが、この他にもたとえば、機械式の接点スイッチや磁気式センサ等を用いて検出機構３３を構成しても良い。
【０１２１】
さらに、本発明の構成は、カード発行装置１、１０１、２０１、３０１のみでなく、カード２の発行を行わないカード処理装置に対して適用可能である。
【図面の簡単な説明】
【０１２２】
【図１】本発明の実施の形態１にかかるカード処理装置を示す斜視図である。
【図２】図１のカセットを示す斜視図であり、（Ａ）は閉じた状態を示し、（Ｂ）は開いた状態を示す図である。
【図３】図１の紙面奥側からカセットホルダを示す斜視図である。
【図４】図３のカセットホルダの繰出機構の構成を側面から説明するための説明図である。
【図５】図３のカセットホルダの繰出機構の構成を正面から説明するための説明図である。
【図６】図４の搬送爪を示す図であり、（Ａ）は背面図、（Ｂ）は側面図である。
【図７】図３の載置部を示す平面図である。
【図８】図１の紙面手前側からカード搬送部を示す斜視図である。
【図９】図１の紙面奥側からカード搬送部を示す斜視図である。
【図１０】図８のカード搬送部のカード搬送機構を正面から説明するための説明図である。
【図１１】図８のカード搬送部の引込機構を正面から説明するための説明図である。
【図１２】図８のカード搬送部の引込機構を側面から説明するための説明図である。
【図１３】本発明の実施の形態１の変形例にかかるカード発行装置を示す斜視図である。
【図１４】本発明の実施の形態２にかかるカード発行装置を示す平面図である。
【図１５】図１４のカード発行装置を示す側面図である。
【図１６】本発明の実施の形態３にかかるカード発行装置を示す斜視図である。
【図１７】図１６のカード発行装置を示す平面図である。
【図１８】図１７のＥ−Ｅ方向からカード発行装置を示す側面図である。
【図１９】図１７のカード回転部を示す図であり、（Ａ）は取付部材が一方向へ傾いた状態を示す図、（Ｂ）は取付部材が他方向へ傾いた状態を示す図である。
【符号の説明】
【０１２３】
１、１０１、２０１、３０１  カード発行装置（カード処理装置）
２  カード
３  カードリーダ部（カード処理部）
４  カードスタック部
５  カード搬送部
７、２０７、３０７  本体ベース
３１  カード繰出機構（カード排出機構）
３３  検出機構
６０  キャリッジ
６１  引込機構
２０６  延長搬送部（カード処理部）
３０５  カード回転部（カード処理部）
【図１】
0004436792.tif 000002
【図２】
0004436792.tif 000003
【図３】
0004436792.tif 000004
【図４】
0004436792.tif 000005
【図５】
0004436792.tif 000006
【図６】
0004436792.tif 000007
【図７】
0004436792.tif 000008
【図８】
0004436792.tif 000009
【図９】
0004436792.tif 000010
【図１０】
0004436792.tif 000011
【図１１】
0004436792.tif 000012
【図１２】
0004436792.tif 000013
【図１３】
0004436792.tif 000014
【図１４】
0004436792.tif 000015
【図１５】
0004436792.tif 000016
【図１６】
0004436792.tif 000017
【図１７】
0004436792.tif 000018
【図１８】
0004436792.tif 000019
【図１９】
0004436792.tif 000020